(57)【要約】【課題】医療現場で用いて好適な消毒シートの包装体を提供する。【解決手段】消毒剤を含浸した消毒シートＳと、消毒シートＳを密封する袋体Ｐとからなる。袋体Ｐは、それぞれがガスバリア性を有するベースフィルム１と蓋フィルム２とで形成し、その周縁部に熱溶着帯３と、摘み片５とを内外に隣接して設ける。ベースフィルム１および蓋フィルム２の少なくともいずれか一方の内面にイージーピール層６を設け、熱溶着帯３を剥離容易に熱溶着し、摘み片５を摘んで蓋フィルム２を捲ることにより、ベースフィルム１の上面を簡単に開放できるようにする。蓋フィルム２には柔軟性を有する軟質フィルムを用い、開封後、消毒シートＳを仮置きしたときに、消毒シートＳの周縁９から蓋フィルム２が垂れ下がってベースフィルム１に密着するようにする。【選択図】図３
2007253986.tif 000002
【特許請求の範囲】
【請求項１】
消毒剤を含浸した消毒シート（Ｓ）と、消毒シート（Ｓ）を密封する袋体（Ｐ）とからなり、
袋体（Ｐ）は、それぞれがガスバリア性を有するベースフィルム（１）と蓋フィルム（２）とで形成されており、
袋体（Ｐ）の周縁部には、ベースフィルム（１）と蓋フィルム（２）とが全周にわたって熱溶着された熱溶着帯（３）と、熱溶着されていない摘み片（５）とが内外に隣接して設けられており、
摘み片（５）を摘んで蓋フィルム（２）を捲ることにより、ベースフィルム（１）の上面が開放可能になっていることを特徴とする消毒シートの包装体。
【請求項２】
ベースフィルム（１）および蓋フィルム（２）の少なくともいずれか一方の内面にイージーピール層（６）が設けられていて、
熱溶着帯（３）が剥離容易に熱溶着されている請求項１記載の消毒シートの包装体。
【請求項３】
蓋フィルム（２）が柔軟性を有する軟質フィルムからなり、
開封後、ベースフィルム（１）の中央部に配置した消毒シート（Ｓ）に蓋フィルム（２）を被せたとき、消毒シート（Ｓ）の周縁（９）から蓋フィルム（２）が垂れ下がってベースフィルム（１）に密着するようになっている請求項１又は２記載の消毒シートの包装体。
【請求項４】
摘み片（５）が袋体（Ｐ）の片側にのみ形成されていて、この摘み片（５）に対向する他方の側の熱溶着帯（３）に、剥離困難な接合部（１２）が形成されている請求項１又は２又は３記載の消毒シートの包装体。
【請求項５】
摘み片（５）が袋体（Ｐ）の片側にのみ形成されていて、この摘み片（５）に対向する他方の側に向かって熱溶着帯（３）のシール強度が大きくなるよう設定してある請求項１ないし４記載の消毒シートの包装体。
【請求項６】
袋体（Ｐ）が四角形状に形成されており、
摘み片（５）が、袋体（Ｐ）の角部（１３）の少なくともいずれか一箇所に形成されている請求項１ないし５記載の消毒シートの包装体。
【請求項７】
ベースフィルム（１）が蓋フィルム（２）よりも大きく形成されており、
ベースフィルム（１）の少なくとも一部が、蓋フィルム（２）の周縁から外側にはみ出している請求項１ないし６記載の消毒シートの包装体。
【発明の詳細な説明】
【技術分野】
【０００１】
本発明は、医療器具、あるいは処置患者や医師、看護士の手指や皮膚の殺菌消毒などに使用される医療用の消毒シートを収納した包装体に関する。
【背景技術】
【０００２】
病院や診療所などの医療現場では、細菌の汚染や感染を防止するために、使用する医療器具や処置患者の体表などを絶えず消毒する必要がある。人命にかかわるので状況が目まぐるしく変化する中でも、迅速かつ確実に消毒することが求められる。
【０００３】
従来このような処置には、多数の消毒用アルコール等を含浸させた４cm角の脱脂綿を収納した万能つぼと呼ばれる容器が使用されていた。最近では、万能つぼに代わって消毒剤を含浸した消毒シートを一枚ずつ個装したもの（特許文献１）や、複数枚を開閉自在に収納したもの（特許文献２）などが多用されている。
【０００４】
【特許文献１】特開２００４−３５９３３１号公報
【特許文献２】特開２００４−１８２２９０号公報
【発明の開示】
【発明が解決しようとする課題】
【０００５】
医療現場で使用されるこの種の消毒シートの包装体にあっては、とくに次のような機能が重視される。収納時には消毒シートに含浸したアルコール等の消毒剤や水分が減少するおそれがなく（密封性）、例えば力の弱い女性や老人が片手でも簡単に開封できる（易開封性）。開封後も、本来の機能を損なわない程度に消毒シートの品質を保持できる（品質保持性）。ピンセットなどの器具を用いないで指で簡単に摘んで取り出すことができ、取り出した後も労せずに仮置きできる（操作性）。使用中に消毒シートを汚したり、微生物が付着したりすることがない（衛生性）。
【０００６】
この点、特許文献１では、操作性や衛生性を向上させるために、２分割可能な消毒シートを縦横方向の所定２箇所に開封用の切り取り線の入った袋に収納し、選択的に開封することによって、消毒シートをそのまま１枚の状態で取り出すことや、２つに分割して別々に取り出すことができるように工夫してある。特許文献２では、上部にまち部を備えた上開き四角形状の袋体内に消毒綿を複数束ねて収納し、まち部を折り込んで留め具で密封できるように構成してある。
【０００７】
しかしながら、特許文献１の構成では、袋の一部を切り取るため、切り取った破片が散らかって多数使用する場合など、後処理に難がある。再封止できないし、いったん消毒シートを取り出すと、ちょっと仮置きしたい場合にも袋の口を広げて挿入するのに手間取るため、結局は使い捨てることになる。特許文献２の構成では、開封後に密閉できて、消毒剤の揮発を抑えて消毒シートの品質を保持できるが、密封操作に手間を要し、操作性に欠ける。所定の場所で多量に使用するにはよいが、携帯には不向きである。
【０００８】
上述のように既存の消毒シートの包装体はいずれも一長一短があって、必ずしも医療現場の要求を十分に満たしているとは言えない。そこで本発明の目的は、医療現場で用いて好適な消毒シートの包装体を提供することにある。本発明の目的は、簡単な構成でありながら先の各種機能がバランスよく発揮でき、迅速かつ確実に消毒できる消毒シートの包装体を提供することにある。
【課題を解決するための手段】
【０００９】
本発明の消毒シートＳの包装体は、消毒剤を含浸した消毒シートＳと、消毒シートＳを密封する袋体Ｐとからなる。袋体Ｐは、それぞれがガスバリア性を有するベースフィルム１と蓋フィルム２とで形成されており、袋体Ｐの周縁部には、ベースフィルム１と蓋フィルム２とが全周にわたって熱溶着された熱溶着帯３と、熱溶着されていない摘み片５とが内外に隣接して設けられている。摘み片５を摘んで蓋フィルム２を捲ることにより、ベースフィルム１の上面が開放可能になっていることを特徴とする。
【００１０】
ベースフィルム１および蓋フィルム２の少なくともいずれか一方の内面にイージーピール層６を設け、熱溶着帯３を剥離容易に熱溶着しておくことができる。
【００１１】
蓋フィルム２に柔軟性を有する軟質フィルムを用い、図４に示すように、開封後、ベースフィルム１の中央部に配置した消毒シートＳに蓋フィルム２を被せたとき、消毒シートＳの周縁９から蓋フィルム２が垂れ下がってベースフィルム１に密着するようにしておくのが好ましい。
【００１２】
摘み片５は袋体Ｐの片側にのみ形成し、この摘み片５に対向する他方の側の熱溶着帯３に剥離困難な接合部１２を形成しておくことができる。
【００１３】
摘み片５を袋体Ｐの片側にのみ形成し、この摘み片５に対向する他方の側に向かって熱溶着帯３のシール強度が大きくなるよう設定しておくこともできる。
【００１４】
袋体Ｐを四角形状に形成し、摘み片５を、袋体Ｐの角部１３の少なくともいずれか一箇所に形成しておくことができる。
【００１５】
ベースフィルム１を、蓋フィルム２よりも大きく形成し、ベースフィルム１の少なくとも一部が、蓋フィルム２の周縁から外側にはみ出るようにすることもできる。
【発明の効果】
【００１６】
本発明に係る消毒シートＳの包装体によれば、ガスバリア性を有するベースフィルム１と蓋フィルム２とを熱溶着して袋体Ｐを密封形成してあるので、収納した消毒シートＳに含浸したアルコール等の消毒剤や水分の減少を確実に防止することができる（密封性）。袋体Ｐの周縁部に熱溶着帯３と摘み片５とを内外に隣接して設け、摘み片５を摘んで蓋フィルム２を捲れば袋体Ｐを開封できるため、開封に際して鋏などの器具が不要で、摘み片５を確り摘んで効率よく袋体Ｐに力を加えることができる（操作性）。ベースフィルム１の上面が開放可能になっているので、ベースフィルム１の上面を大きく開放すれば、ピンセットなどの器具を用いずとも、簡単に指で消毒シートＳを摘み出すことができる。消毒シートＳを取り出した後もベースフィルム１を仮置き台に利用でき、作業中にちょっと消毒シートＳを仮置きしたい場合にも、消毒シートＳを汚すことなく簡単に仮置きできる。熱溶着帯３の剥離跡が残るので、消毒シートＳを仮置きする際、清浄領域がよく判る（操作性、衛生性）。
【００１７】
ベースフィルム１および蓋フィルム２の少なくともいずれか一方の内面にイージーピール層６を設け、熱溶着帯３を剥離容易に熱溶着してあると、力の弱い女性や老人でも片手で操作でき、簡単に開封することができる（易開封性）。
【００１８】
蓋フィルム２に柔軟性を有する軟質フィルムを用いれば、図３に示すように、蓋フィルム２を捲って後ろ向きに捲り返して、ベースフィルム１の上面を開放状態に保持したままで放置できる（操作性）。このとき、表向いた蓋フィルム２の内面も清浄性が保たれているため、消毒シートＳの仮置き台に利用でき、仮置きできる面積が大きくなる点が着目される。
【００１９】
蓋フィルム２に柔軟性のある軟質フィルムを用い、開封後、ベースフィルム１の中央部に配置した消毒シートＳに蓋フィルム２を被せたとき、消毒シートＳの周縁９から蓋フィルム２が垂れ下がってベースフィルム１に密着するようになっていると、消毒シートＳを仮置きする際、ベースフィルム１の上に消毒シートＳを置いて、蓋フィルム２を元の状態に戻せば、袋体Ｐを仮密封状態にすることができ、消毒シートＳの消毒剤や水分の減少を抑制することができる（品質保持性）。
【００２０】
摘み片５を袋体Ｐの片側にのみ形成し、この摘み片５に対向する他方の側の熱溶着帯３に剥離困難な接合部１２を形成しておけば、蓋フィルム２がベースフィルム１から分離するおそれがなく、両フィルムを一括して後処理でき、散らかすことがないし、安心してベースフィルム１の上面を全開できる（操作性）。
【００２１】
片側の摘み片５の側から対向する他方の側に向かって熱溶着帯３のシール強度が大きくなるよう設定してあると、力加減を気にせずに蓋フィルム２を捲ってもベースフィルム１から蓋フィルム２が完全に分離するのをよく防止できる。シール強度が強い分、シール不良を防止でき、それだけ生産性を高めることができる（操作性、易開封性）。
【００２２】
図６に示すように、四角形状の袋体Ｐの角部１３に摘み片５を形成すれば、角に指が引っ掛かって、摘み片５を摘み易い（操作性、易開封性）。
【００２３】
図９に示すように、ベースフィルム１を、蓋フィルム２よりも大きく形成し、ベースフィルム１の少なくとも一部が、蓋フィルム２の周縁から外側にはみ出るようにしてあると、袋体Ｐを載置したとき、安定するし、摘み片５も摘み易い（操作性）。
【発明を実施するための最良の形態】
【００２４】
（実施例１）  図１および図２において、本発明の消毒シートの包装体は、消毒剤を含浸した消毒シートＳと袋体Ｐとからなる。袋体Ｐは、ベースフィルム１と蓋フィルム２とを４方シールすることにより、四角形状に形成されている。袋体Ｐの周縁部には、ベースフィルム１と蓋フィルム２とが熱溶着された熱溶着帯３と、熱溶着されていない摘み片５とが、それぞれ内外に隣接して設けられている。熱溶着帯３は袋体Ｐの周縁に沿って全周にわたって帯状に形成されており、収納された消毒シートＳは完全に密封されている。摘み片５は、ベースフィルム１および蓋フィルム２のそれぞれに熱溶着帯３の外側に連続して張り出し形成されており、ここでの摘み片５は袋体Ｐの片側一辺に沿って形成してある。図３に示すように、摘み片５を摘んで蓋フィルム２を捲れば、ベースフィルム１の内側上面を好きなだけ開放できるようになっている。
【００２５】
消毒シートＳは、脱脂綿や不織布などをシート状に加工したシート体に、消毒液剤を含浸させてなる。シート体には、例えば、セルロース系繊維としては日本薬局方の脱脂綿、コットンやレーヨン、パルプなどからなる不織布が好適に使用できる。セルロース系繊維にナイロンやポリエチレン等の合成繊維を混紡させたもの、あるいは異なる素材を積層して組み合わせたものでもよい。消毒剤には、消毒用のエタノール、イソプロパロール、ヨードホルム、塩化ベンザルコニウムなどが挙げられるが、これらに限定されるものではなく、適宜選択して使用できる。
【００２６】
袋体Ｐを構成するベースフィルム１および蓋フィルム２は、いずれもガスバリア性を有するプラスチックフィルムであり、具体的にはポリエチレン（ＰＥ）や、延伸ポリプロピレン（ＯＰＰ）、ポリエチレンテレフタレート（ＰＥＴ）、ナイロン（ＮＹ）、アクリル、ポリスチレン（ＰＳ）、セロハンなどの単体フィルムやこれらの複数の素材を積層した複合フィルムからなる。ガスバリア性を付与するために、複合フィルムの間にアルミ箔層やガスバリア性の高いプラスチックからなるバリアフィルム層を設けてあってもよく、あるいはフィルム表面にアルミ蒸着加工を施したものであってもよい。両フィルム１・２とも、市販品から適宜選択して使用できる。例えば、ＯＰＰ単体や、ＮＹ１５μｍ／アルミ蒸着ＰＥＴ１２μｍ／ＰＥ４０μｍ、ＯＰＰ２０μｍ／ＰＥ１５μｍ／アルミ箔１７μｍ／ＰＥ２０μｍの構成からなるフィルムが使用できる。
【００２７】
上記構成であっても、摘み片５を摘んでベースフィルム１から蓋フィルム２を剥離できるが、ベースフィルム１又は蓋フィルム２の内面には、イージーピール層６を設けておくのが好ましい。ここでは図２に示すように、両フィルム１・２の内面にイージーピール層６を形成したが、少なくともいずれか一方の内面にイージーピール層６を形成しておけば、より小さい力で熱溶着帯３が剥離してベースフィルム１の上面を簡単に開放することが可能となる。
【００２８】
ここでイージーピール層６とは剥離容易に構成された層をいい、一般には凝集剥離、層間剥離、界面剥離の３つのタイプがある。凝集剥離は、異種プラスチックどうしは熱溶着できない性質を利用したものであり、異種プラスチックを所定比率で混合してイージーピール層６を構成し、フィルムどうしの熱溶着性を変えることで、剥離し易さを調整するものである。層間剥離は、共押し出しで少なくともフィルムを２層に形成し、層間の接着強度を低下させておくことで、両フィルム層を剥離容易にする。界面剥離では、ＥＶＡなどの易接着性樹脂を利用することで剥離強度を調整している。本発明では、熱溶着帯３が剥離容易に熱溶着できればよく、イージーピール層６のタイプには限定されない。
【００２９】
ベースフィルム１は、ＰＥＴフィルムなどを含む剛性を有する硬質フィルムからなり、図２に示すように、蓋フィルム２よりも厚みが大きく設定されていて、比較的変形し難くしてある。袋体がくしゃくしゃにならないよう変形を防止するためである。ベースフィルム１は着色するか、あるいは有色素材を使用して蓋フィルム２と区別できるようにしておくとよい。
【００３０】
蓋フィルム２には、しなやかで透明な柔軟性を有する軟質フィルムを使用する。袋体の内部が見えるし、捲り上げた蓋フィルム２を折り返し、蓋フィルム２の内面を表向けにした状態で放置できるため、扱い易くなるからである。
【００３１】
そして図４に示すように、蓋フィルム２を捲っていったん開封した後には、蓋フィルム２をベースフィルム１の中央付近に置いた消毒シートＳ上に被せると、消毒シートＳの周縁９から蓋フィルム２の周縁部がベースフィルム１側に自重で垂れ下がって、液成分で濡れた両フィルム１・２の内面どうしが濡れによる界面張力で密着するようにしてある。
【００３２】
すなわち、材料コスト的には不利であるが、品質保持性を向上させるために、敢えてベースフィルム１および蓋フィルム２を大きくするのである。詳しくは、図４において、ベースフィルム１の熱溶着帯３で区画される領域の中央に配置した消毒シートＳの周縁９から蓋フィルム２の周縁までの間の寸法Ｌを、消毒シートＳの厚み寸法Ｈに対して十分大きくなるようにし、前者の寸法Ｌを後者の寸法Ｈに対して８倍以上に設定する。８倍以上としたのは、８倍より小さいと、蓋フィルム２が十分に垂れ下がらずに隙間が生じて密封性を損ない易いからである。外観とフィルムの材料費を考慮すれば、蓋フィルム２の全周における前記寸法Ｌと前記寸法Ｈの比率の最小値が１０〜２０倍の範囲内になるよう設定するのが好ましい。
【００３３】
具体的な寸法を示すと、図１において、消毒シートＳは、縦横が４cm×４cmである。その厚みは0.３〜２mmの範囲内にあり、常態においては約１mmである。袋体の縦横寸法は、６cm×７cmで、７cmのうち１cmが摘み片５の幅寸法である。熱溶着帯３の幅寸法は５mmとした。したがって、この場合、前記寸法Ｌは１cm又は1.５cmとなり、１mmである前記寸法Ｈに対して１０又は１５倍の大きさとなっている。なお、図４に示すベースフィルム１が、水平状になっているのは、開封後は蓋フィルム２からの引っ張り負荷がなくなって常態に戻るからである。
【００３４】
（実施例２）  図５は、摘み片５に関して実施例１に改良を加えたものである。（ａ）では、一対の摘み片５を袋体の対向辺のそれぞれに形成し、どちらの側からでも摘み片５を摘んで捲れるようにした。（ｂ）では、摘み片５を熱溶着帯３の外側全周にわたって形成し、どこからでも摘み片５を摘んで捲れるようにした。いずれも摘み片５の分だけ、前記寸法Ｌが大きくなる点でも有利である。なお、本実施例以降、実施例１と共通する構成については説明を省略する。
【００３５】
（実施例３）  図６および図７は、摘み片５および熱溶着帯３に関して実施例１に改良を加えたものである。そこでは、摘み片５を袋体Ｐの片側一辺にのみ形成し、この摘み片５に対向する他方の側の熱溶着帯３に剥離困難な接合部１２を形成した。摘み片５は、指で摘み易くするために、一辺の両端の角部１３それぞれに三角形状に形成されている。剥離困難な接合部１２は、蓋フィルム２とベースフィルム１とを熱溶着する工程において、熱溶着に使用するシール機のシールバー形状を改良し、面シールに加えてシール強度が大きい線シールができるように工夫した。すなわち、シール機は、蓋フィルム２とベースフィルム１とを両側から挟んで熱溶着する一対の帯状のシールバーを有しており、そのシールバーの所定部位の対向表面それぞれに線状の凸部を設け、所定のシール圧で熱溶着したときに、帯状の熱溶着帯３に比べてシール圧が大きい接合部１２が線状に形成されるようにしたのである。かかる構成であれば、蓋フィルム２とベースフィルム１とは接合部１２で強く結合して分離し難くなるため、力加減を気にせず安心して蓋フィルム２を捲ることができる。
【００３６】
さらに、袋体の摘み片５が形成された側から、この摘み片５に対向する他方の接合部１２が形成されている側に向かって熱溶着帯３のシール強度が大きくなるよう設定してある。すなわち、蓋フィルム２とベースフィルム１とを熱溶着する工程において、両フィルム１・２を熱溶着するシールバーのシール圧又はシール温度が摘み片５側よりも接合部１２側の方が大きくなるように設定し、シール圧又はシール温度の強弱によって熱溶着帯３のシール強度が異なるようにした。なおシール強度は、徐々に大きくなるように変化させることも、二段以上で段階的に変化させることもできる。このようにしておけば、さらに力加減を気にせず蓋フィルム２を捲ることができる。
【００３７】
（実施例４）  図８は、袋体Ｐの形状等に関する本発明の実施例４を示している。そこでは、袋体Ｐを扇形状に形成し、円弧状の周縁の左右間にわたって摘み片５を設けてある。かかる形状の消毒シートＳの包装体であれば、興趣に富むうえ、摘み片５が大きくて指で摘み易く、最初に大きく開くことができて消毒シートＳを取り出し易い。
【００３８】
（実施例５）  図９は、本発明の実施例５を示すものであり、ベースフィルム１を蓋フィルム２よりも大きく形成し、ベースフィルム１の少なくとも一部が、蓋フィルム２の周縁から外側にはみ出すようにした。具体的には、図９において、四角形状の蓋フィルム２と、蓋フィルム２よりも左右寸法が大きい四角形状のベースフィルム１とを、ベースフィルム１の左右両端部が蓋フィルム２の左右の側辺から外側にはみ出すようにして４方シールした。かかる構成によれば、蓋フィルム２の摘み片５を指で摘む際に、ベースフィルム１の摘み片５の方が大きくて外側にはみ出ているので、その間に指を入れ易く、蓋フィルム２の摘み片５を摘み易い。ベースフィルム１が大きい分、机などの上に載置したときに安定する。
【００３９】
先の説明では、袋体Ｐに収納される消毒シートＳは１枚であったが、これに限られるものではなく、図１０に示すように２枚以上であってもよい。この場合、開封後も繰り返し仮蓋状にして密封性が確保できるので、下側に残る未使用の消毒シートＳの品質を損なわずに保持できる（品質保持性）。上側の消毒シートＳから使い捨てていけば、消毒シートＳの厚みが減る分、それだけ蓋フィルム２とベースフィルム１とが密着し易くなって品質保持性に有利である。袋体Ｐは、ベースフィルム１と蓋フィルム２とが連なった１枚のフィルムを二つ折りにしてシールしたものであってもよい。
【図面の簡単な説明】
【００４０】
【図１】実施例１における消毒シートの包装体の平面図
【図２】図１のＡ−Ａ線断面図
【図３】実施例１における消毒シートの包装体の開封過程を示す斜視図
【図４】実施例１における仮置き状態を示す断面図
【図５】実施例２における消毒シートの包装体の平面図
【図６】実施例３における消毒シートの包装体の平面図
【図７】図６のＢ−Ｂ線断面図
【図８】実施例４における消毒シートの包装体の平面図
【図９】実施例５における消毒シートの包装体の平面図
【図１０】消毒シートが複数枚ある場合の仮置き状態を示す断面図
【符号の説明】
【００４１】
Ｓ  消毒シート
Ｐ  袋体
１  ベースフィルム
２  蓋フィルム
３  熱溶着帯
５  摘み片
６  イージーピール層
９  消毒シートＳの周縁
１２  接合部
１３  角部
【図１】
2007253986.tif 000003
【図２】
2007253986.tif 000004
【図３】
2007253986.tif 000005
【図４】
2007253986.tif 000006
【図５】
2007253986.tif 000007
【図６】
2007253986.tif 000008
【図７】
2007253986.tif 000009
【図８】
2007253986.tif 000010
【図９】
2007253986.tif 000011
【図１０】
2007253986.tif 000012